(57)【要約】【課題】  試し書きを行わなくても筆跡の形成と、該筆跡の消去又は変色が可能であることを識別できる利便性を備え、特に学習用、暗記に適した実用性に優れた両頭式筆記具を提供する。【解決手段】  透明性軸筒内に二つのインキ収容部を形成する仕切り壁を設け、一方のインキ収容部に水と、還元剤により変色又は消色する染料とから変色性インキを直接収容し、他方のインキ収容部に変色性インキを変色させる変色液を直接収容した両頭式筆記具。【選択図】  なし【特許請求の範囲】
【請求項１】
透明性軸筒内に二つのインキ収容部を形成する仕切り壁を設けてなり、且つ、軸筒両端開口部にそれぞれ直接又は中継部材を介して筆記先端部を設けた両頭式筆記具であって、一方のインキ収容部に水と、還元剤により変色又は消色する染料とから少なくともなる変色性インキを直接収容し、他方のインキ収容部に変色性インキを変色させる変色液を直接収容したことを特徴とする両頭式筆記具。
【請求項２】
透明性軸筒内のインキ収容部に水と、還元剤により変色又は消色する染料とから少なくともなる変色性インキを直接収容し、直接又は中継部材を介して筆記先端部を設けた筆記具の軸筒後部と、透明性軸筒内のインキ収容部に前記変色性インキを変色させる変色液を直接収容し、直接又は中継部材を介して筆記先端部を設けた筆記具の軸筒後部とを直接又は連結部材を介して結合することを特徴とする両頭式筆記具。
【請求項３】
透明性インキ収容管内のインキ収容部に水と、還元剤により変色又は消色する染料とから少なくともなる変色性インキを直接収容し、直接又は中継部材を介して筆記先端部を設けたレフィルと、透明性インキ収容管内のインキ収容部に前記変色性インキを変色させる変色液を直接収容し、直接又は中継部材を介して筆記先端部を設けたレフィルを、透明性軸筒内に各筆記先端部が軸筒両端部にそれぞれ位置するように収容してなることを特徴とする両頭式筆記具。
【請求項４】
前記変色性インキを収容するインキ収容部の容積と、変色液を収容するインキ収容部の容積の比率が６：４〜９：１である請求項１乃至３のいずれかに記載の両頭式筆記具。
【発明の詳細な説明】
【技術分野】
【０００１】
本発明は両頭式筆記具に関する。更に詳細には、一方の筆記具を用いて筆記して得られた筆跡上から他方の筆記具を用いて筆記することにより、該筆跡を変色させることのできる両頭式筆記具に関する。
【背景技術】
【０００２】
従来より、軸筒内に繊維束からなるインキ吸蔵体を収容し、前記インキ吸蔵体に変色性インキを含浸させた筆記具と、軸筒内に繊維束からなるインキ吸蔵体を収容し、前記インキ吸蔵体に変色性インキを消色させる変色液を含浸させた筆記具が開示されている。
前記筆記具は、変色性インキを収容した筆記具で筆記して形成した筆跡上に他方の変色液を収容した筆記具で重ね書きすることにより、前記筆跡を消去することができるため、学習用、特に暗記に適した筆記具である。
【特許文献１】特公昭５７−４０８７０号公報
【発明の開示】
【発明が解決しようとする課題】
【０００３】
従来の筆記具は、軸筒内に収容したインキ吸蔵体にインキ或いは変色液を含浸しているため、筆記によりインキや変色液を消費していくとインキ吸蔵体内にインキや変色液が存在しているにもかかわらず筆跡がかすれることがある。これは、インキ吸蔵体の毛管作用によってインキや変色液が導出され難くなるためである。
従って、透明性の軸筒を使用してインキ残量を視認できる構成となしても、一見インキが残っており、筆記可能な印象を与えるため、試し書きを行わなければ使用可能か否かを判別することができず、また、変色液は透明性の液体であるため、インキ吸蔵体に変色液を含浸する系では使用可能か否かを判別することは全く不可能であり、利便性に乏しいものであった。
更に、インキによる筆跡の形成と、変色液による筆跡の消去又は変色を共に行わなければならず、試し書きに手間を要して利便性をいっそう損なうことになる。
本発明は、前記した従来の両頭式筆記具の不具合を解消しようとするものであって、即ち、試し書きを行わなくても筆跡の形成と、筆跡の消去又は変色が可能であることを識別できる実用性に優れた両頭式筆記具を提供しようとするものである。
【課題を解決するための手段】
【０００４】
本発明は、透明性軸筒内に二つのインキ収容部を形成する仕切り壁を設けてなり、且つ、軸筒両端開口部にそれぞれ直接又は中継部材を介して筆記先端部を設けた両頭式筆記具であって、一方のインキ収容部に水と、還元剤により変色又は消色する染料とから少なくともなる変色性インキを直接収容し、他方のインキ収容部に変色性インキを変色させる変色液を直接収容した両頭式筆記具、或いは、透明性軸筒内のインキ収容部に水と、還元剤により変色又は消色する染料とから少なくともなる変色性インキを直接収容し、直接又は中継部材を介して筆記先端部を設けた筆記具の軸筒後部と、軸筒内のインキ収容部に前記変色性インキを変色させる変色液を直接収容し、直接又は中継部材を介して筆記先端部を設けた筆記具の軸筒後部とを直接又は連結部材を介して結合する両頭式筆記具、或いは、透明性インキ収容管内のインキ収容部に水と、還元剤により変色又は消色する染料とから少なくともなる変色性インキを直接収容し、直接又は中継部材を介して筆記先端部を設けたレフィルと、透明性インキ収容管内のインキ収容部に前記変色性インキを変色させる変色液を直接収容し、直接又は中継部材を介して筆記先端部を設けたレフィルを、透明性軸筒内に各筆記先端部が軸筒両端部にそれぞれ位置するように収容してなる両頭式筆記具を要件とする。
更には、変色性インキを収容するインキ収容部の容積と、変色液を収容するインキ収容部の容積の比率が６：４〜９：１であること等を要件とする。
【発明の効果】
【０００５】
本発明は、試し書きを行わなくても筆跡の形成と、該筆跡の消去又は変色が可能であることを識別できる利便性を備え、特に学習用、暗記に適した実用性に優れた両頭式筆記具を提供できる。
【発明を実施するための最良の形態】
【０００６】
本発明は、両端に筆記先端部を設けた両頭式筆記具であって、前記筆記先端部としては繊維チップ、フェルトチップ、プラスチックチップ、ボールペンチップ、筆穂等を用いることができる。
前記ボールペンチップについて更に詳しく説明すると、金属製のパイプの先端近傍を外面より内方に押圧変形させたボール抱持部にボールを抱持してなるチップ、或いは、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等を適用できる。
また、前記ボールは、超硬合金、ステンレス鋼、ルビー、セラミック、樹脂、ゴム等の０．１〜３ｍｍ径程度のものが適用できる。
なお、本発明のインキを充填する筆記具は、ボールと同様の転動作用により筆跡を形成させる、ローラー等の転動機構を筆記先端部に備えたものを含む。
【０００７】
インキや変色液を収容する軸筒、或いは、インキ収容管は、例えば、ポリエチレン、ポリプロピレン、ポリエチレンテレフタレート、ナイロン等の熱可塑性樹脂からなる透明性成形体が好適に用いられる。
前記透明性とは着色透明、半透明、着色半透明を含み、インキ色やインキ残量等を確認することができる。
なお、前記透明性の軸筒或いはインキ収容管は全体が透明性を有している他、インキや変色液の残量が視認できる部分的に透明性部分を有する軸筒或いはインキ収容管であってもよい。
【０００８】
前記両頭式筆記具としては、透明性軸筒内に二つのインキ収容部を形成する仕切り壁を設けてなり、且つ、軸筒両端開口部にそれぞれ直接又は中継部材を介して筆記先端部を設けた構造であり、一方のインキ収容部に水と、還元剤により変色又は消色する染料とから少なくともなる変色性インキを直接収容し、他方のインキ収容部に変色性インキを変色させる変色液を直接収容する構造が挙げられる。
前記した構造において、櫛溝状の液体流量調節部材や繊維束からなる液体流量調節部材を介在させて筆記先端部に所定量のインキや変色液を供給したり、或いは、軸筒内部に弁機構を設けて、弁の開閉により筆記先端部に所定量のインキや変色液を供給する機構を設けることが好ましい。
【０００９】
更に、別の形態の両頭式筆記具として、透明性軸筒内のインキ収容部に水と、還元剤により変色又は消色する染料とから少なくともなる変色性インキを直接収容し、直接又は中継部材を介して筆記先端部を設けた筆記具の軸筒後部と、軸筒内のインキ収容部に前記変色性インキを変色させる変色液を直接収容し、直接又は中継部材を介して筆記先端部を設けた筆記具の軸筒後部とを直接又は連結部材を介して結合する構造が挙げられる。
前記構造において、櫛溝状の液体流量調節部材や繊維束からなる液体流量調節部材を介在させて筆記先端部に所定量の変色性インキや変色液を供給したり、或いは、軸筒内部に弁機構を設けて、弁の開閉により筆記先端部に所定量のインキや変色液を供給する機構を設けることが好ましい。
【００１０】
更に、別の形態の両頭式筆記具として、透明性インキ収容管内のインキ収容部に水と、還元剤により変色又は消色する染料とから少なくともなる変色性インキを直接収容し、直接又は中継部材を介して筆記先端部を設けたレフィルと、透明性インキ収容管内のインキ収容部に前記変色性インキを変色させる変色液を直接収容し、直接又は中継部材を介して筆記先端部を設けたレフィルを、透明性軸筒内に各筆記先端部が軸筒両端部にそれぞれ位置するように収容してなる構造が挙げられる。
前記構造において、櫛溝状の液体流量調節部材や繊維束からなる液体流量調節部材を介在させて筆記先端部に所定量のインキや変色液を供給したり、或いは、軸筒内部に弁機構を設けて、弁の開閉により筆記先端部に所定量のインキや変色液を供給したり、インキ収容管内に変色性インキや変色液を充填し、さらに変色性インキや変色液の後端に逆流防止用の液栓を配設した機構を設けることが好ましい。
【００１１】
前述した筆記具の構成において、軸筒又はインキ収容管内には変色性インキ及び変色液を直接収容してなる。よって、インキ吸蔵体にインキや変色液が残存しているにもかかわらず、良好な筆跡が形成できないといった不具合を生じることがない。
更に本発明は、軸筒が透明性を有したり、或いは、インキ収容管及び軸筒が透明性を有する構成となすことにより、インキ残量を視認でき、試し書きを行わなくても使用可能か否かを判別することができる。
【００１２】
前記両頭指揮筆記具の変色性インキを収容するインキ収容部の容積と、変色液を収容するインキ収容部の容積の比率は５：５であってもよいが、好ましくは６：４〜９：１、更に好ましくは６：４〜８：２である。
これは、実用に際してインキによる筆跡の形成に費やされるインキ消費量と、変色液による消去又は変色に費やされる変色液の消費量を比較した場合、インキ消費量の方が多いことから、変色性インキを収容するインキ収容部の容積を変色液を収容するインキ収容部の容積よりも大きくする構成により、インキと変色液の残量バランスに優れ、両頭式筆記具の重要な要件である双方の筆記具の永続した使用を満足させることができる。
【００１３】
前記両頭式筆記具に収容される変色性インキについて説明する。
インキ中に含まれる着色剤としては、還元剤によって変色又は消色する染料であって、メチン系染料、トリメチルメタン系染料、ジフェニルメタン系染料、トリフェニルメタン系染料、キサンテン系染料、シアニン系染料、アゾ系染料、アントラキノン系染料、シアニン系染料等を使用することができる。
前記染料として具体的には、Ｃ．Ｉ．ベーシックブルー１、Ｃ．Ｉ．ベーシックブルー３、Ｃ．Ｉ．ベーシックブルー７、Ｃ．Ｉ．ベーシックブルー５４、Ｃ．Ｉ．ベーシックブルー６５、Ｃ．Ｉ．ベーシックブルー６９、Ｃ．Ｉ．ベーシックオレンジ２１、Ｃ．Ｉ．ベーシックオレンジ４６、Ｃ．Ｉ．ベーシックレッド１３、Ｃ．Ｉ．ベーシックレッド１４、Ｃ．Ｉ．ベーシックレッド３７、Ｃ．Ｉ．ベーシックレッド４９、Ｃ．Ｉ．ベーシックグリーン１、Ｃ．Ｉ．ベーシックグリーン４、Ｃ．Ｉ．ベーシックバイオレット１、Ｃ．Ｉ．ベーシックバイオレット１０、Ｃ．Ｉ．ベーシックバイオレット１５、Ｃ．Ｉ．ベーシックバイオレット２７、Ｃ．Ｉ．ベーシックイエロー４９、Ｃ．Ｉ．アシッドブルー９３、Ｃ．Ｉ．アシッドレッド９２、Ｃ．Ｉ．アシッドグリーン３、Ｃ．Ｉ．アシッドバイオレット１９、Ｃ．Ｉ．アシッドイエロー２３を例示できる。
なお、前記還元剤によって変色又は消色する染料と共に、還元剤によって変色しない、或いは、変色し難い染料や顔料を併用することによって、筆記時には前記染料の色調が混色となった筆跡が視認され、前記筆跡に変色液を付着させることにより、一方の染料が変色又は消色して異なる色調の筆跡を視認可能な構成とすることもできる。
【００１４】
前記インキ中にはアミノ酸を含有させることによって、紙面の種類（酸性紙、中性紙、アルカリ性紙）によって変色液を塗布する前に変色する不具合を防止することができる。
アミノ酸としては、リシン、グリシン、アラニン、フェニルアラニン、ロイシン、セリン、トレオニン、シスチン、プロリン、チロシン、メチオニン、アスパラギン、グルタミン、グリシルグリシン、アスパラギン酸、グルタミン酸等が挙げられる。
前記アミノ酸の塩としては、ナトリウム塩、カリウム塩、マグネシウム塩、アルカノールアミン塩、塩酸塩等が挙げられる。
前記アミノ酸又はその塩として、特にグリシン、グリシルグリシン、グルタミン、フェニルアラニンが好適に用いられる。
前記アミノ酸又はその塩は、インキ組成物中０．５重量％以上、好ましくは０．５〜５重量％、より好ましくは０．７〜３重量％の範囲で用いられる。
０．５重量％未満では紙面上での筆跡の色濃度変化を防止でき難く、また、５重量％を越えて添加することも可能であるが、５重量％未満で筆跡の色濃度変化を防止する効果を奏するため、これ以上の添加量は必要としない。
【００１５】
前記インキに用いられる溶剤としては、水と必要により水溶性有機溶剤が用いられる。
前記水溶性有機溶剤としては、例えば、エタノール、プロパノール、ブタノール、グリセリン、ソルビトール、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、エチレングリコールモノメチルエーテルアセテート、スルフォラン、２−ピロリドン、Ｎ−メチル−２−ピロリドン等が用いられる。
【００１６】
なお、インキ中で染料の発色性を良好なものとするためには、インキのｐＨを１〜６にする必要がある。
よって、インキのｐＨを前記酸性領域に調整が必要な場合は酸性物質を添加することもでき、蟻酸、酢酸、プロピオン酸、乳酸、シュウ酸、コハク酸、リンゴ酸、クエン酸、酒石酸、リン酸、パラトルエンスルホン酸等のスルホン酸、塩酸、硫酸、硝酸等を適用することもできる。
【００１７】
その他、必要に応じて染料の発消色に影響を及ぼさない範囲で、防錆剤、石炭酸等の防腐剤或いは防黴剤、界面活性剤、湿潤剤、メチルポリシロキサン等の消泡剤等の添加剤を用いたり、紙面への固着性や粘性付与のためにアクリル樹脂、スチレンマレイン酸共重合樹脂、ポリビニルピロリドン、ポリビニルアルコール、デキストリン等を用いることもでき、ボールペンに内蔵して実用に供する場合は、剪断減粘性付与剤や潤滑剤を添加することもできる。
【００１８】
次いで、前記両頭式筆記具に収容される変色液について説明する。
前記変色液に含まれる変色性インキを変色又は消色させる還元剤としては、亜硫酸ナトリウム、亜硫酸カリウム、亜硫酸リチウム、亜硫酸カルシウム、亜硫酸アンモニウム、亜硫酸亜鉛、チオ硫酸ナトリウム、チオ硫酸カリウム、チオ硫酸アンモミウム、次亜塩素酸ナトリウム、塩化錫、ハイドロサルファイト等を例示でき、変色又は消色性能の観点から亜硫酸ナトリウムが好適に用いられる。
また、前記変色液には必要に応じて有機溶剤や各種添加剤を配合でき、例えば、トリエタノールアミン等のアルカノールアミンを添加すると消去性を向上させることができる。
【００１９】
また、前記インキや変色液をボールペンに内蔵して実用に供する場合、剪断減粘性付与剤を添加することによって、ボールペンの不使用時にボールとチップの間隙からのインキ漏れだしを防止したり、筆記先端部を上向き（正立状態）で放置した場合のインキの逆流を防止することができる。
前記剪断減粘性付与剤としては、キサンタンガム、ウェランガム、構成単糖がグルコースとガラクトースの有機酸修飾ヘテロ多糖体であるサクシノグリカン（平均分子量約１００乃至８００万）、アルカシーガム、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類、Ｎ−アルキル−２−ピロリドンとアニオン系界面活性剤の混合物、ポリビニルアルコールとアクリル系樹脂の混合物を例示できる。
【００２０】
更に、前記インキや変色液をボールペンに内蔵して実用に供する場合、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗防止効果を付与することが好ましい。  
【００２１】
前記軸筒、或いは、インキ収容管に収容したインキの後端にはインキ逆流防止体を充填することもできる。
前記インキ逆流防止体は不揮発性液体及び／又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００２２】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体と、固体のインキ逆流防止体を併用することもできる。
【実施例】
【００２３】
以下に実施例を示すが、本発明は以下の実施例に限定されるものではない。
なお、実施例中の部は重量部を示す。
実施例１
変色性インキの調製
緑色染料                                                    １．５部
〔保土谷化学工業（株）製、商品名：ダイヤモンドグリーンＧＨ〕
橙色染料                                                    ０．３部
〔保土谷化学工業（株）製、商品名：ＳＷＴ  Ｏｒａｎｇｅ−１〕
グリシン                                                    １．０部
石炭酸（防腐剤）                                            ０．３部
界面活性剤                                                  １．０部
グリセリン                                                ２０．０部
水（イオン交換水）                                        ７５．９部
前記溶剤中に染料及び各種添加剤を加えて、攪拌して緑色の変色性インキ組成物を得た。
【００２４】
変色液の調製
亜硫酸ナトリウム（還元剤）                                １０．０部
炭酸カリウム                                                １．０部
リン酸エステル系界面活性剤                                  ０．２部
〔第一工業製薬（株）製、商品名：プライサーフＡＬ〕
石炭酸（防腐剤）                                            ０．１部
グリセリン                                                １０．０部
水（イオン交換水）                                        ７８．７部
前記溶剤中に還元剤と各種添加剤を加えて攪拌して変色液を得た。
【００２５】
両頭式筆記具の作製
透明性軸筒内部に５：５の容積となる仕切り壁を設けた両端開口形状の軸筒の一方に前記インキを収容し、櫛溝状のインキ流量調節部材を介して軸筒先端部にチゼル型繊維マーキングペンチップを取り付けた。
次いで、他方に前記変色液を収容し、櫛溝状のインキ流量調節部材を介して軸筒先端部にチゼル型繊維マーキングペンチップを取り付けて両頭式変色性筆記具を得た。
なお、前記両頭式筆記具には着脱自在のキャップを備えてなる。
前記筆記具を用いて紙面上に筆記すると、緑色の筆跡が得られ、前記筆跡上から変色液を塗布すると筆跡は消色した。
前記筆記具は筆記と消去を１本の筆記具で行うことができるため、携帯性に優れると共に、インキと変色液の残量を一目で確認でき、利便性に優れる。
【００２６】
実施例２
変色性インキの調製
緑色染料                                                    １．５部
〔保土谷化学工業（株）製、商品名：ダイヤモンドグリーンＧＨ〕
橙色染料                                                    ０．３部
〔保土谷化学工業（株）製、商品名：ＳＷＴ  Ｏｒａｎｇｅ−１〕
グルタミン                                                  １．０部
石炭酸（防腐剤）                                            ０．３部
界面活性剤                                                  １．０部
グリセリン                                                ２０．０部
水（イオン交換水）                                        ７５．９部
前記溶剤中に染料及び各種添加剤を加えて、攪拌して緑色の変色性インキ組成物を得た。
【００２７】
両頭式筆記具の作製
軸筒内部に７：３の容積となる仕切り壁を設けた両端開口形状の軸筒の一方（大容積部分）に前記インキを収容し、櫛溝状のインキ流量調節部材を介して軸筒先端部にチゼル型繊維マーキングペンチップを取り付けた。
次いで、他方（小容積部分）に実施例１と同様の変色液を収容し、櫛溝状のインキ流量調節部材を介して軸筒先端部にチゼル型繊維マーキングペンチップを取り付けて両頭式変色性筆記具を得た。
なお、前記両頭式筆記具には着脱自在のキャップを備えてなる。
前記筆記具を用いて紙面上に筆記すると、緑色の筆跡が得られ、前記筆跡上から他方に設けた変色液を塗布すると筆跡は消色した。
前記筆記具は筆記と消去を１本の筆記具で行うことができるため、携帯性に優れると共に、インキと変色液の残量を一目で確認でき、利便性に優れる。
【００２８】
実施例３
変色性インキ組成物の調製
緑色染料                                                    １．０部
〔保土谷化学工業（株）製、商品名：ダイヤモンドグリーンＧＨ〕
橙色染料                                                    ０．３部
〔保土谷化学工業（株）製、商品名：ＳＷＴ  Ｏｒａｎｇｅ−１〕
グリシルグリシン                                            １．０部
石炭酸（防腐剤）                                            ０．３部
界面活性剤                                                  １．０部
グリセリン                                                ２０．０部
水（イオン交換水）                                        ７５．９部
前記溶剤中に染料及び各種添加剤を加えて、攪拌して緑色の変色性インキ組成物を得た。
【００２９】
両頭式筆記具の作製
軸筒内部に８：２の容積となる仕切り壁を設けた両端開口形状の軸筒の一方（大容積部分）に前記インキを収容し、櫛溝状のインキ流量調節部材を介して軸筒先端部にチゼル型繊維マーキングペンチップを取り付けた。
次いで、他方（小容積部分）に実施例１と同様の変色液を収容し、櫛溝状のインキ流量調節部材を介して軸筒先端部にチゼル型繊維マーキングペンチップを取り付けて両頭式変色性筆記具を得た。
なお、前記両頭式筆記具には着脱自在のキャップを備えてなる。
前記筆記具を用いて紙面上に筆記すると、緑色の筆跡が得られ、前記筆跡上から他方に設けた変色液を塗布すると筆跡は消色した。
前記筆記具は筆記と消去を１本の筆記具で行うことができるため、携帯性に優れると共に、インキと変色液の残量を一目で確認でき、利便性に優れる。
【００３０】
実施例４
両頭式筆記具の作製
透明性軸筒内部に実施例２で作成した変色性インキを収容し、櫛溝状のインキ流量調節部材を介して軸筒先端部に砲弾型繊維マーキングペンチップを取り付けた。
これとは別に、透明性軸筒内部に実施例２で作成した変色液を収容し、櫛溝状のインキ流量調節部材を介して軸筒先端部に砲弾型繊維マーキングペンチップを取り付けた。
前記変色性インキを収容した筆記具と、前記変色液を収容した筆記具の軸筒後端同士を、接続部材を介して接続して両頭式変色性筆記具を得た。
なお、前記両頭式筆記具には着脱自在のキャップを備えてなる。
前記筆記具を用いて紙面上に筆記すると、緑色の筆跡が得られ、前記筆跡上から変色液を塗布すると筆跡は消色した。
前記筆記具は筆記と消去を１本の筆記具で行うことができるため、携帯性に優れると共に、インキと変色液の残量を一目で確認でき、利便性に優れる。
また、一方の筆記具のみ使い終えたら、取り外して新しい筆記具を付け替えることもでき、省資源化を図ることもできる。
【００３１】
実施例５
両頭式筆記具の作製
ボールペンチップを接続部材を介して嵌め合わせた透明性インキ収容管内に、実施例３で作成した変色性インキを収容し、更にその後端にインキ逆流防止体を収容してレフィルを得た。
これとは別に、ボールペンチップを接続部材を介して嵌め合わせた透明性インキ収容管内に、実施例３で作成した変色液を収容し、更にその後端にインキ逆流防止体を収容してレフィルを得た。
両端開口形状の透明性軸筒内に、各レフィルの筆記先端部が軸筒両端部にそれぞれ位置するように収容して両頭式筆記具を得た。
なお、前記両頭式筆記具には着脱自在のキャップを備えてなる。
前記筆記具を用いて紙面上に筆記すると、緑色の筆跡が得られ、前記筆跡上から変色液を塗布すると筆跡は消色した。
前記筆記具は筆記と消去を１本の筆記具で行うことができるため、携帯性に優れると共に、インキと変色液の残量を一目で確認でき、利便性に優れる。
また、一方のレフィルのみ使い終えたら、取り外して新しいレフィルを入れ替えることもでき、省資源化を図ることもできる。
【００３２】
比較例１
両頭式筆記具の作製
透明性軸筒内部に仕切り壁を設けた両端開口形状の軸筒の一方に、実施例２で作製した変色性インキを含浸させた繊維集束インキ吸蔵体を収容し、先端部にチゼル型繊維マーキングペンチップを取り付け、他方に実施例２で作製した変色液を含浸させた繊維集束インキ吸蔵体を収容し、先端部にチゼル型繊維マーキングペンチップを取り付けて両頭式筆記具を得た。
なお、前記両頭式筆記具には着脱自在のキャップを備えてなる。
前記筆記具を用いて紙面上に筆記すると、緑色の筆跡が得られ、前記筆跡上から変色液を塗布すると筆跡は消色した。
前記筆記具は、インキの消費につれてインキ吸蔵体にインキが残っていても筆跡がかすれ始め、また、変色液の収容量も判別することができないため、試し書きを行わないと筆跡の形成と、該筆跡の消去又は変色が可能であるか識別できず、実用性を損なうものであった。
【００３３】
応用例１
前記実施例２で作製した両頭式変色性筆記具を用いて、紙面に印刷された黒色の文字を覆うように筆記して緑色の筆跡を形成した。
なお、前記筆跡を透して黒色の文字は視覚可能であった。
前記筆跡上に赤色透明性シートを載置すると、筆跡の緑色とシートの赤色は補色の関係にあり、黒色に視覚されるため、文字は視覚されなくなる。
次いで、赤色透明性シートを取り除き、筆跡上から他方に設けた変色液を塗布すると筆跡は消色するため、再び黒色の文字が視認されるのみとなり、暗記に適した筆記具が得られた。
【００３４】
応用例２
前記実施例３で作製した両頭式変色性筆記具を用いて、紙面上に筆記して緑色の筆跡を形成した。
前記文字上に同色の緑色透明性シートを載置すると、文字は視覚されなくなった。
次いで、緑色透明性シートを取り除き、筆跡上から他方に設けた変色液を塗布すると筆跡は消色するため、暗記に適した筆記具が得られた。